(57)【要約】    本発明は首部（２）を備えた容器（３）を閉止するように意図された装置に関する。前記の装置は閉止部（４）を形成するように意図された第１の部分と、首部（２）の周りに保持されるように意図された第２の環状部分（５）と、第１の部分（４）を第２の部分（５）へ連結する不正開封防止タブ（６）を形成し、脆弱手段（８，９）により第１と第２の部分（４、５）へ接続され、かつ閉止部（４）を解放するため最初に使用するときに取外されることを意図された第３の部分とを有する。前記装置は、不正開封防止タブが第１及び第２の部分から一旦分離されると、該不正開封防止タブを格納（Ｆ）する手段を形成する。
2005514285.tif 000002
【特許請求の範囲】
【請求項１】
首部（２；１０２；２０２）を備えた容器（３；１０３；２０３）を閉止するための装置であって、
閉止部（４；１０４）を形成するように意図された第１の部分と、
首部（２；１０２）の周りに保持されるように意図された第２の環状部分（５；１０５）と、
第１の部分（４；１０４）を第２の部分（５；１０５）へ連結する不正開封防止タブ（６；１０６）を形成し、脆弱手段（８，９）により第１と第２の部分（４、５；１０４、１０５）へ接続され、かつ閉止部（４；１０４）を解放するため最初に使用するときに取外されることを意図された第３の部分とを有し、
当該装置は、不正開封防止タブ（６；１０６）が第１及び第２の部分（４、５；１０４、１０５）から一旦分離されると、該不正開封防止タブを格納（Ｆ）する手段を形成することを特徴とする装置。
【請求項２】
第２の部分は、環状スカート（５；１０５）を形成する壁を有し、格納手段は、前記スカート（５；１０５）の壁を通って形成される通路（１４；１１４）を有し、該通路は、スカート（５；１０５）と首部（２；１０２）が互いの間に形成することを意図された内部格納空間（１８；１１８；１２８）内への不正開封防止タブ（６；１０６）の挿入を可能とするものであること特徴とする請求項１に記載の装置。
【請求項３】
前記通路は、穴（１４）により形成されることを特徴とする請求項２に記載の装置。
【請求項４】
閉止部（１０４）の反対側において、スカート（１０５）は、前記通路を形成する切欠き（１１４）を形成する自由縁部（１１２）で終端することを特徴とする請求項２に記載の装置。
【請求項５】
不正開封防止タブ（６；１０６）の両側において、前記脆弱手段は、機械的抵抗の少ない連続線（８，９）の形状を呈することを特徴とする請求項２〜４のいずれかに記載の装置。
【請求項６】
ヒンジ（１０）が、閉止部（４；１０４）を第２の部分（５；１０５）へ連結しており、前記脆弱手段は機械的抵抗の少ない少なくとも１つの線（９）を有し、該少なくとも１つの線（９）は不正開封防止タブ（６；１０６）と第２の部分（５；１０５）との間に延びていてヒンジ（１０）の直径方向反対側において位置し、また、少なくとも１つの線（９）は切欠き（２０）の縁部（１３）を形成し、該切欠き（２０）は前記第２の部分（５；１０５）により形成されるべく意図されたものであって、不正開封防止タブ（６；１０６）が取り外された後に首部（２；１０２；２０２）の一部分の覆いをなくすことを特徴とする請求項１〜５のいずれかの装置。
【請求項７】
首部（２；１０２；２０２）を備えたが容器であって、首部（２；１０２；２０２）に取付けられた、請求項１〜６のいずれかの閉止装置（１；１０１）を備えることを特徴とする容器。
【請求項８】
閉止装置（１；１０１）は、請求項２〜５のいずれかのものであり、首部（２；１０２；２０２）および前記スカート（５；１０５）は、その間に内部格納空間（１８；１１８；２１８）を形成し、該内部格納空間へのアクセスを、前記通路（１４；１１４）が提供し、また内部格納空間に、不正開封防止タブ（６；１０６）を挿入できることを特徴とする請求項７に記載の容器。
【請求項９】
閉止装置（１；１０１）の首部（２；１０２；２０２）および前記スカート（５；１０５）から構成されるグループの少なくとも１つの部材は、不正開封防止タブ（６；１０６）を内部格納空間（１８；１１８；２１８）内に閉込める少なくとも１つの案内部材（１６；２１、１１５；２０２）を形成することを特徴とする請求項８に記載の容器。
【請求項１０】
閉込め案内部材は、内部格納空間（１８；１１８；２１８）を横方向に限定する環状突部（１６；２１、１１５；２２２）であることを特徴とする請求項９項に記載の容器。
【請求項１１】
閉止装置（１；１０１）は請求項６に記載のものであり、切欠き（２０）の部位において、首部（２；１０２；２０２）は、前記第２の部分（５；１０５）からいずれにも突出することを特徴とする請求項７〜１０のいずれかに記載の容器。
【発明の詳細な説明】
【技術分野】
【０００１】
本発明は、首部を備えた容器を閉止する装置に関し、この装置は、
閉止部を形成する第１の部分、
首部の周りに保持されるようになっている第２の環状部分、および
第１の部分を第２の部分へ連結する不正開封防止タングまたはタブを形成し、脆弱手段により第１と第２の部分へ接続され、かつ最初に使用するときに閉止部を解除するために取り外されるようになっている第３の部分を有する型式のものである。
【０００２】
本発明は、上述の型式の閉止装置が取付けられる首部を備えた容器にも関する。
【背景技術】
【０００３】
このような容器が最初に開放されるときには、不正開封防止タブが取外されて脆弱手段が引き裂かれることから、閉止部を首部から離すことができる。
【０００４】
多くの場合に使用者は、使用者を邪魔する不正開封防止タブをどのようにすればよいか知らないので、厄介になる。
【０００５】
さらに、不正開封防止タブをどこにでも投棄することが生じ、閉止装置が一般に再生可能な材料から成っていても、その結果、上述の厄介さが環境汚染と結び付くことになる。
【０００６】
米国特許第３９９４４０９号（ＵＳ−Ａ−３９９４４０９）には、容器用に設けられる閉止装置が記載されている。この閉止装置は、保持リングの抵抗の低い２つの線により分割される環状スカート、閉止部、および不正開封防止タブから構成される。抵抗の低い２つの線の１つは、閉ループとして設計される一方、抵抗の低い他の線は遮断部を形成する。その結果、不正開封防止タブを、不正開封防止タブの端部に設けられる耳部を引張ることにより保持リングからだけ完全に取外すことができる。この不正開封防止タブは、閉止部へ結合されたままであるので、非美観的であるという欠点、および使用者を傷つける危険にさらし、および／または物体に引っ掛かり、結果として転倒し落下するかもしれないという欠点を示す。
【０００７】
【特許文献１】米国特許第３９９４４０９号公報
【特許文献２】米国特許第４５５７３９３号公報
【発明の開示】
【発明が解決しようとする課題】
【０００８】
完全に分離可能なタブを組込む閉止装置は、その不正開封防止タブが、装置の第１と第２の部分から取外されるようになっているからそのような欠点を示さない。
【０００９】
本発明の少なくとも１つの目的は、上述の型式の閉止装置を一層実用的にさせることにある。
【課題を解決するための手段】
【００１０】
このため、本発明は、不正開封防止タブが第１と第２の部分から一旦分離されると、その閉止装置が不正開封防止タブを格納する手段を形成することを特徴とする、上記型式の閉止装置を目的とする。
【００１１】
本発明は、首部上に取付けられる上述のような閉止装置を有することを特徴とする容器も目的とする。
【発明を実施するための最良の形態】
【００１２】
本発明は、例示のためにのみ与えられ、かつ添付図面を参照してなされる以下の説明を読めば、一層容易に理解されるであろう。
【００１３】
図１乃至６において閉止装置１は、単独で示され、或いは部分的に示されたボトル３である容器の首部２に取付けられた状態で示されている。
【００１４】
より詳しくは、図１乃至３において、プラスチック材料を成形することによって製造された閉止装置１は、未使用のまま、すなわち手がつけられていない。この場合、それは一体となっていて、軸Ｘ−Ｘ’に関してほぼ対称である。それは３つの部分を有し、１つの部分が閉止部４を形成し、またもう１つの部分は、首部２に装置１を取付ける環状スカート５である。最後の部分はこれらの２つの部分間を軸Ｘ−Ｘ’の回りに延びる不正開封防止タブ６であり、このタブは、装置１から取外されるまで、閉止部４をスカート５へ連結する。
【００１５】
不正開封防止タブ６の２つの端部の１つには、把持のための部材７が設けられる。
【００１６】
不正開封防止タブ６が取外されるときに引き裂かれるようになっている脆弱手段は、機械的抵抗の低い２つの連続線８及び９を有し、それぞれの線は、閉止装置１の外面上に溝を設けることで生じる。機械的抵抗の低い線８は、不正開封防止タブ６と閉止部４との間を延びる。機械的抵抗の低い線９は、不正開封防止タブ６とスカート５との間を延びる。
【００１７】
回動軸Ａ−Ａ’のヒンジ１０が、不正開封防止タブ６の両端部間に設けられていて、２つの弾性ブレード１１を有し、これらのブレードは、閉止部４をスカート５へ結合し、かつ互いに関して軸Ｘ−Ｘの回りに角度的にずれている。
【００１８】
２つの端部のそれぞれから一定の距離において、機械的抵抗の低い線９は、スカート５の自由縁部１２へ向けて傾斜して彎曲部１３を形成し、この彎曲部の凹面は閉止部４側を向いており、また彎曲部はヒンジ１０の直径方向反対側で延びている。
【００１９】
軸Ｘ−Ｘ’とほぼ平行な方向に細長い穴１４が、スカート５の壁を直角に貫通している。それは、軸Ｘ−Ｘ’の回りにヒンジ１０とほぼ同じ角度位置を有する。それは、抵抗の低い線８と９が一旦引き裂かれると不正開封防止タブ６を内部に通すことができる、格納用の手段を形成する。
【００２０】
図３において閉止装置１は、首部２上に取付けられている。その場合にスカート５は、２つの相補的な環状の突条により構成されるクリップ手段によりこの首部２の周りに保持されており、１５の参照番号が付けられた一方の突条はスカート５の内側に設けられ、また１６の参照番号が付けられた他方の突条は、首部２の外側に設けられる。
【００２１】
首部２は、螺旋形雄ネジ１７を形成し、それによって、閉止装置１が無いときには、キャップ（図示されない）を首部２にネジ込むことができる。このネジ１７は、突条１６に対して、首部２の自由縁部側に軸方向に位置ずれしている。突条１６とネジ１７との間で、スカート５と首部２は、それらの間に環状格納空間１８を形成し、その空間へのアクセスを穴１４が提供する。
【００２２】
抵抗の低い線８と９が引き裂かれない限り、不正開封防止タブ６は、首部２により形成される通路を密閉する閉止部４からの取外しに抗する。
【００２３】
ボトル３が最初に開放されるとき、把持部材７を介して把持される不正開封防止タブ６は、完全に取外されて、抵抗の低い線８と９が引き裂かれ、これにより閉止装置４が解放され、閉止装置４は、この場合、首部２から離れて図６に示した位置まで、ヒンジ１０の軸Ａ−Ａ’の回りに回動される。
【００２４】
本発明の目的に従って、この場合に使用者は、取外された不正開封防止タブ６によりもはや邪魔されることはない。というのは、使用者はタブ６を穴１４を通じて格納空間１８内にスライドできるからである。このために、使用者は、把持部材７の反対側の不正開封防止タブ６の端部を穴１４に先ず挿入し、ついで格納空間１８に挿入する。不正開封防止タブ６は、ついで、図４の矢印Ｆで表される押し込み力を加えることにより、格納空間１８内に次第に貫入される。脆弱手段が機械的抵抗の低い２つの連続線により形成されるので、不正開封防止タブ６の側縁部は、ほぼ一定であり、このため不正開封防止タブは、引っ掛かることなく穴１４を通過する。
【００２５】
不正開封防止タブ６を、把持部材７が穴１４の縁部に当接し、格納空間１８の入口で阻止されるまで、このようにして押し込むことができる。このとき不正開封防止タブ６は、図５と６に示される位置にあり、格納空間１８内に取付けられるか、好ましくはそこに格納され、把持部材７だけが外側へ突出する。しかしながら、把持部材７は、図６に示されるように、開放された閉止部４により隠れるので、ボトル３の内容物が他の容器へ流し込まれるとき、または使用者がヒンジと反対側に口をつけて首部から飲むときには、邪魔にならない。
【００２６】
さらに、穴１４は、閉止装置１が取付けられているときに、首部２とスカート５との間に閉じ込められる液体の迅速な排出を容易にし、および／または、それが、ボトル３に流し込まれた食品飲料の残りまたは洗浄水の残りであり得る液体の蒸発を促進または加速する。
【００２７】
図９において分かるように、不正開封防止タブ６の取外しにより、スカート５に切欠き１９が残る。彎曲部１３の部位において、この切欠き１９の縁部により他の切欠き２０が形成され、その切欠き２０は、切欠き１９よりも小さく、かつ深く、またヒンジ１０の反対側に位置している。かくして、この小さい切欠き２０は、首部から飲もうとする使用者がまさに下唇を当てるであろう長い長さにわたって首部２の覆いを無くする。
【００２８】
本発明の第1の変形実施例による閉止装置１０１が、図７乃至９に示されている。図８と９において、その装置は、本発明の第1の変形実施例によれば、ボトル１０３の首部１０２上に取付けられている。閉止装置１０１とボトル１０３の閉止装置１とボトル３との違いだけを、以下に説明する。さらに、この閉止装置１０１またはこのボトル１０３の部材を表わす参照番号は、装置１またはボトル３の同様な部材を表わす参照番号に１００だけ増加してつくられている。
【００２９】
首部１０２およびスカート１０５は、首部２およびスカート５よりもそれぞれ長い。
【００３０】
格納空間１８に関しては、格納空間１１８は、図８において分かるように、軸方向に位置ずれしていて、スカート１０５の内側突条１１５とスカート１０５の自由縁部１１２との間に延びている。
【００３１】
閉止装置１の場合と反対に、格納空間１１８へのアクセスを提供するためにスカート１０５の壁を通って形成される通路は、穴により形成されておらず、自由縁部１１２から形成された閉止部１０４の方向に細長い切欠き１１４により形成される。
【００３２】
図９において不正開封防止タブ１０６は、格納空間１１８の内側に格納される。ボトル１０３を取扱うため首部１０２に設けられる半径方向リング２１は、この場合、不正開封防止タブ１０６のハウジング１１８の外側への可能性のある軸方向変位に抗する。
【００３３】
本発明の第２の変形実施例によるボトル２０３が、図１０に示されている。以下において、このボトル２０３のボトル３との違いだけが説明される。さらに、このボトル２０３を表わす幾つかの参照番号は、ボトル３上の同様な部材を表わする参照番号に２００だけ増加してつくられている。
【００３４】
ボトル２０３の首部２０２には、ボトル３のネジ１７が無い。他方では、その首部は、環状突条２２２を形成する。この突条は、環状突条２１６と首部２０２の自由縁部との間において、首部２０２の外方へ延びている。
【００３５】
図１乃至６に示されたものと同一の閉止装置１が、図１乃至６に示される閉止装置１がボトル３の首部２上に取付けられるのと同一の仕方で、図３乃至６において首部２０２上に取付けられる。内側に環状突条２２２が配置されたスカート５は、この突条に適用される。その結果、格納空間２１８が、スカート５と首部２０２により、またかつ横方向の環状突条２２２と２１６とにより共同して形成される。
【００３６】
不正開封防止タブ６の格納の際に、これらの突条２２２と２１６は、この不正開封防止タブ６を格納空間２１８内に案内し、かつ閉じ込める。
【００３７】
１つの変形態様において環状突条２２２を、ボトルの首部によってではなく、閉止装置１のスカート５により形成することができる。
【００３８】
本発明の利点のうちでも、スカート５または１０５の壁を通る通路の存在により、材料が節約され，したがってコストが節減されることが注目されるであろう。
【図面の簡単な説明】
【００３９】
【図１】本発明による閉止装置の第1の斜視図である。
【図２】図１とは別の角度で示される閉止装置の第２の斜視図である。
【図３】図１と２の閉止装置により閉じられる本発明による容器の首部の軸方向断面図である。
【図４】図３の組立体の斜視図であり、この組立体から取外される不正開封防止タブを格納するステップを示す。
【図５】図３の組立体の斜視図であり、格納された不正開封防止タブの最終位置を示す。
【図６】図３乃至５の組立体の不正開封防止タブが、取外された後に格納されるているところを示す図３と同様な図である。
【図７】図３と同様な図であり、本発明の第1の変形実施例による閉止装置を示す。
【図８】図３に対応し、図７に示される閉止装置により閉じられる本発明による容器の首部の軸方向断面図である。
【図９】図６に対応する図８の組立体の軸方向断面図であり、不正開封防止タブが、閉止装置から取外された後に格納されたところを示す。
【図１０】本発明の第２の変形実施例による容器の一部を破断した部分斜視図である。
【図１】
2005514285.tif 000003
【図２】
2005514285.tif 000004
【図３】
2005514285.tif 000005
【図６】
2005514285.tif 000006
【図４】
2005514285.tif 000007
【図５】
2005514285.tif 000008
【図７】
2005514285.tif 000009
【図８】
2005514285.tif 000010
【図９】
2005514285.tif 000011
【図１０】
2005514285.tif 000012
【国際調査報告】
2005514285.tif 000013
2005514285.tif 000014
2005514285.tif 000015
2005514285.tif 000016